(57)【要約】【課題】カバーｂの開放により破砕室２の上方を開放した状態で行う破砕機構３の点検作業に際し、その破砕機構３の、フリーハンマー状の破砕刃３３を軸支する取付軸３２を軸方向に移動させる作業が、面倒な操作を要さずに制約のない状態として行えるようにする。【解決手段】破砕室２の天井部となる部位１０ａを、ヒンジ１１により機枠１に対し開閉回動するカバーｂに形成した農用チョッパーにおいて、機枠１の側壁１２の、側面視において破砕機構３の破砕刃３３の取付軸３２の回動軌跡ｗと重合する部位を含む、主軸３０の軸受機構部ｄの外側から機枠１上面のカバーｂに至る部位ｃを、機枠１の側壁１２と別体に切り離し、それの上縁側をカバーｂの側縁部に連結支持せしめる。【選択図】        図６
2004267847.tif 000002
【特許請求の範囲】
【請求項１】
機枠１に組み込んだ破砕室２内に、破砕刃３３を主軸３０に支架せるホイル３１に組み付けた取付軸３２に軸支せしめた破砕機構３を装架し、その破砕室２の前面側に配位して機枠１に組み込んだ送込室４内に翼車状の送込機構５を装架し、機枠１の天板１０の、破砕室２の天井部となる部位１０ａを、ヒンジ１１により機枠１に対し開閉回動するカバーｂに形成した農用チョッパーにおいて、機枠１の側壁１２の、側面視において破砕機構３の破砕刃３３の取付軸３２の回動軌跡ｗと重合する部位を含む、主軸３０の軸受機構部ｄの外側から機枠１上面のカバーｂに至る部位ｃを、機枠１の側壁１２と別体に切り離し、それの上縁側をカバーｂの側縁部に連結支持せしめることを特徴とする農用チョッパー。
【請求項２】
機枠１の側壁１２の、後端側のつなぎ部材１５よりも後方に延出する延出部分ｇを、側壁１２から切り離し、機枠１と別体とする側壁１２の部位ｃと共にカバーｂに連結支持せしめることを特徴とする請求項１記載の農用チョッパー。
【請求項３】
カバーｂを機枠１に閉じ合わせた状態に保定する係止機構８を、機枠１の側壁１２から切り離してカバーｂに連結支持せしめた別体の側壁１２の部位ｃと機枠１側の側壁１２との間に、装設することを特徴とする請求項１記載の農用チョッパー。
【発明の詳細な説明】
【０００１】
【発明が属する技術分野】
本発明は、主として、果樹等の樹木の整枝のために枝おろした枝等の木材を細片に破砕処理するように用いる農用チョッパーに関する。
【０００２】
さらに具体的にいえば、機枠に装設した破砕室内に、破砕刃をフリーハンマー状に組み付けた破砕機構を装架し、その破砕室の前面側に装設した送込室内に、翼車状の送込機構を装架せしめ、その送込室の前面側に供給樋を接続させて設け、供給樋から供給する木材を、送込室内の翼車状の送込機構で順次破砕室に送り込み、これを、破砕室内で回転する破砕機構のフリーハンマー状の破砕刃で破砕処理するよう構成してある形態の農用チョッパーについての改良に関する。
【０００３】
【従来の技術】
上述の農用チョッパーは、通常、図１および図２にあるように、クローラにより走行する車体に装架するか、トラクタの機体に三点リンクヒッチを介して装架するか、所望の場所に設置する台枠状のベースａ上に装架する機筺状の機枠１を形成し、この機枠１内の上半側で後方（図において右方）に寄る部位に、破砕室２を装設して、破砕機構３を装架収蔵せしめ、その破砕室２の前方の、機枠１内の上半側で前方に寄る部位には送込室４を装設して、送込機構５を装架収蔵せしめ、その送込室４の前方の機枠１の前面の上部に供給樋６を接続して設け、その供給樋６から供給する木材Ｍが、送込室４を経て破砕室２に送り込まれ、破砕室２内の破砕機構３で破砕されて、その破砕片が、破砕室２の底壁を形成している篩網２０を経て機枠１の外に排出されるように構成されている。
【０００４】
そして、破砕室２内に収蔵する破砕機構３は、破砕室２を左右に横切る主軸３０を機枠１に軸支して、これに、盤状に形成したホイル３１…を複数枚、主軸３０の軸方向に適宜の間隔をおいて並列支架し、これらホイル３１…の周縁部の、周方向に等配した複数の部位に、破砕刃取付用の取付軸３２…を、それぞれ主軸３０と平行させて渡架するように組み付け支架し、かつ、それぞれの取付軸３２に、破砕刃３３を、それの基端側をもって取付軸３２に対し回動自在に軸支してカラー３２ａにより所定位置に配設し、この破砕刃３３がホイル３１の回転により主軸３０の遠心方向に振り出されて、破砕室２内に送り込まれてくる破砕物に対しフリーハンマー状に作用していくように構成してあり、これにより、主軸３０を、それに設けた伝導輪３４を前記ベースａに組み付け支架したエンジンＥの出力軸に設けた伝導輪３５または、ベースａに組付けた伝導機構の伝導輪から導く回転動力により駆動することで、図１において二重線の矢印に示す方向にホイル３１を回転させ、取付軸３２に組み付け支架した破砕刃３３…が、被破砕物に対しフリーハンマー状に作用して破砕するように構成している。
【０００５】
また、送込室４内に装設する送込機構５は、送込室４内における床板４０より少し上方部位に、該送込室４を左右に横切る回転軸５０を主軸３０と平行させて配位し、それの左右の軸端部を、送込室４の左右の機壁に設けたガイド穴５１を貫通させて機枠１の外面側に突出させ、これら軸端部を、前記主軸３０に基端部を軸支して先端側が自在に昇降回動するように機枠１の左右の外面側にそれぞれ装設した左右に一対の回動アーム５２・５２の各回動端部に軸支して、この回動アーム５２の上下の回動で回転軸５０が昇降するようにし、その回転軸５０の左右の軸端部を貫通させたガイド穴５１は、主軸３０中心とする仮想円弧に沿う所定長さの上下の長穴に形成して、回動アーム５２の回動範囲を所定の範囲に規制し、かつ、回動アーム５２・５２は、機枠１との間に、下降側に回動させるよう付勢するバネ５３を設けて、常態において回転軸５０がガイド穴５１の下端側に位置するようにする。
【０００６】
そして、回転軸５０には、側面視において、図１にあるように、回転軸５０の周面から放射方向に突出する送込板５４…を、図２にあるように、回転軸５０の軸方向に沿う翼板状に形成して装設して、これにより回転軸５０により回転する翼車状に構成し、かつ、回転軸５０の一方の軸端部には伝導輪５５を設けておいて、これを主軸３０に設けた伝導輪５６に減速機構を組み込んだ伝導機構５７を介し伝導しておいて、主軸３０が駆動されたときに、この回転軸５０が同時に駆動されて図１において矢印方向に減速されて回転し、これにより、供給樋６側から供給されてくる被破砕物を、バネ５３の付勢に抗して上下に回動する回動アーム５２の作動によって、上方から押さえ付けた状態として、回転する送込板５４により破砕室２側に掻き送るように構成している。
【０００７】
そしてまた、機枠１は、それの内部の破砕室２内に装架してある破砕機構３のフリーハンマー状の破砕刃３３の点検および脱着交換の作業のために、この破砕室２の天井を形成している機枠１の天板１０の後半側の部位１０ａを、機枠１から切り離して、ヒンジ１１により開閉回動自在に機枠１に組み付けて、開閉回動するカバーｂに形成し、常態においては、図３にあるように、機枠１の左右の機壁１２・１２の上縁部位に、内側に向けアングル状に折り曲げて形成したフランジ１２ａの上面に載架せしめて、そのフランジ１２ａに、ボルト１３とそれ螺合する蝶ネジ１４により閉じ合わせて固定しておき、点検の際には、蝶ネジ１４を外して、このカバーｂを開放回動させ、それにより露出してくる破砕機構３の点検を行うようにしている。
【０００８】
【発明が解決しようとする課題】
上述の如く構成してある農用チョッパーは、機枠１内の破砕室２に収蔵せしめて装架してある破砕機構３の点検を行うときには、カバーｂを開放回動して、破砕室２の天井側を開放し、それにより、上方が開放した破砕室２の左右の機壁で囲われる破砕室２内の空間を作業空間として点検作業を行うようにしている。
【０００９】
しかし、この作業において、破砕刃３３の脱着交換を行うときには、並列するホイル３１間に渡架するように組み付けてある取付軸３２…を、ホイル３１から抜き取るように外して、その外した取付軸３２から破砕刃３３とカラー３２ａとを取り外し、次いで、新しい破砕刃３３の回動軸部を取付軸３２に嵌挿し、その新たな破砕刃３３を支架した取付軸３２を再びホイル３１に組み付ける作業工程によって行うが、この作業工程のうちの、取付軸３２のホイル３１からの取り外し、およびホイル３１への組み付けには、その取付軸３２をそれの軸方向に動かすことが必要で、この作業を、機枠１の左右の機壁１２・１２間に形成される破砕室２内の空間で行うことが困難なことから、左右の機壁１２・１２には、主軸３０中心に回動する取付軸３２の回動軌跡と対向する部位の適宜の個所に、機壁１２を貫通して破砕室２内に連通する透孔を設けて、破砕機構３の駆動を停めた状態においてその破砕機構３を手で回し、取付軸３２の軸端部を透孔に対向させたところで、取付軸３２を透孔を介して機枠１の側方に抜き出すようにしているが、この透孔に取付軸３２を対向させる操作が面倒で、しかも、透孔から破砕片が漏出してくることから、これを着脱自在の蓋で塞ぐなどの面倒な工作を要し、さらに、点検の際に、この蓋を取り外す作業を要する問題がある。
【００１０】
本発明は、この問題を解消するためになされたものであって、機枠１の天板で、破砕室２の天井となる部位を開閉回動するカバーｂに形成しておいて、そのカバーｂの開放により破砕室２の上方を開放した状態で行う破砕機構３の点検作業に際し、その破砕機構３の、フリーハンマー状の破砕刃３３を軸支する取付軸３２を軸方向に移動させる作業が、面倒な操作を要さずに制約のない状態として行えるようにすることを目的とするものである。
【００１１】
【課題を解決するための手段】
そして、本発明においては、上述の目的を達成するための手段として、機枠１に組み込んだ破砕室２内に、破砕刃３３を主軸３０に支架せるホイル３１に組み付けた取付軸３２に軸支せしめた破砕機構３を装架し、その破砕室２の前面側に配位して機枠１に組み込んだ送込室４内に翼車状の送込機構５を装架し、機枠１の天板１０の、破砕室２の天井部となる部位１０ａを、ヒンジ１１により機枠１に対し開閉回動するカバーｂに形成した農用チョッパーにおいて、機枠１の側壁１２の、側面視において破砕機構３の破砕刃３３の取付軸３２の回動軌跡ｗと重合する部位を含む、主軸３０の軸受機構部ｄの外側から機枠１上面のカバーｂに至る部位ｃを、機枠１の側壁１２と別体に切り離し、それの上縁側をカバーｂの側縁部に連結支持せしめることを特徴とする農用チョッパーを提起し、さらに、これに併せて、機枠１の側壁１２の、後端側のつなぎ部材１５よりも後方に延出する延出部分ｇを、側壁１２から切り離し、機枠１と別体とする側壁１２の部位ｃと共にカバーｂに連結支持せしめる手段および、カバーｂを機枠１に閉じ合わせた状態に保定する係止機構８を、機枠１の側壁１２から切り離してカバーｂに連結支持せしめた別体の側壁１２の部位ｃと機枠１側の側壁１２との間に、装設する手段を提起するものである。
【００１２】
【発明の実施の形態】
次に本発明の実施の態様を、図面に随い、実施例について具体的説明する。
図４は、本発明手段を実施せる農用チョッパーＡの側面図、図５は同上の縦断した側面図を示している。
【００１３】
これら図において、ａはベース、１はベースａ上に組み付けた機枠、２は機枠１内に装設せる破砕室、３はその破砕室２内に収蔵せしめて装架せる破砕機構、４は送込室、５はその送込室４内に収蔵せしめて装架せる送込機構、６は送込室４の入口部の前面側に接続して装架せる供給樋、ｂは機枠１の天板１０の破砕室２の天井となる部位１０ａで形成した開閉するカバーを示す。
【００１４】
機枠１は、クローラにより走行する車体に装架するか、トラクタの機体に三点リンクヒッチを介して装架するか、所望の場所に設置する台枠状ベースａ上に装架するように組み立てるもので、機筺状に構成する。
【００１５】
破砕室２は、この機枠１内の上半側で後方（図において右方）に寄る部位に装設してあり、それの底壁は篩網２０に形成してある。この破砕室２内に装架する破砕機構３は、破砕室２を左右に横切る主軸３０と、盤状に形成して前記主軸３０上に並列させて組み付ける複数枚のホイル３１…と、それらホイル３１…の周縁部の、周方向に等配した各部位に主軸３０と平行させて渡架するように組み付ける破砕刃取付用の取付軸３２…と、これら取付軸３２に基端側を自在に回動するよう軸支する多数の破砕刃３３とにより、主軸３０の回転により取付軸３２に支架した破砕刃３３がフリーハンマー状に振り出されて主軸３０中心に図５において二重線の矢印方向に回動するよう構成した通常のものである。
【００１６】
送込室４は、前記破砕室２の前面に位置する機枠１内の上半側で前方に寄る部位に装設してあり、それの後端側は、破砕室２の前端側の入口に接続連通し、前端側の入口部は機枠１の前面側に開放して、供給樋６の接続口となり、また、この送込室４の床板４０の後端側は破砕室２の底壁の篩網２０の前端部に接続し、前端側は、供給樋６の床板６０に接続するようにしている。
【００１７】
そして、この送込室４内に装架する送込機構５も、送込室を左右に横切る回転軸５０と、その回転軸５０の周面に放射状に突出する翼車状に設けてその回転軸５０を翼車状に形成する送込板５４…と、回転軸５０の機枠１の左右の機壁１２・１２から突出する左右の軸端部を回動端側に軸支して基端側が主軸３０に軸架される左右に一対の回動アーム５２・５２と、この回動アーム５２・５２の主軸３０中心とする回動範囲を規制するよう機枠１の左右の側壁１２・１２の前記回転軸５０が貫通する部位に開設した上下方向の長穴状のガイド穴５１と、回転軸５０が常態においてガイド穴５１の下端側に位置するように回動アーム５２を下降回動側に付勢するバネ５３と、回転軸５０が主軸３０の回転時に主軸３０に対し減速して図５において細線の矢印方向に駆動回転するよう回転軸５０と主軸３０との間に設ける伝導機構とで構成される通常のものである。
【００１８】
そして、これにより、主軸３０を駆動する状態において、供給樋６から破砕すべき木材を供給すると、その木材が送込機構５により破砕室２に順次送り込まれて、破砕機構３のフリーハンマー状の破砕刃３３…による破砕を受け、それにより木材から破砕された破砕片が、破砕室２の底壁の篩網２０と破砕機構３との間を回動する間に、さらに、破砕刃３３による破砕を受けて細片となり、篩網２０を漏下して機枠１内の底部に落下していき、これが、機枠１の後面側に開設してある排出口ｙから取り出されるようになって、木材の破砕処理が行われるようにしてある。
【００１９】
しかして、このように構成する農用チョッパーは、さらに、それの機枠１の天板１０の、破砕室２の天井部となる部位１０ａを、機枠１から切り離して機枠１と別体とし、ヒンジ１１により開閉回動自在に機枠１に連結軸支して、破砕室２の天井部を開閉自在に囲うカバーｂに形成し、破砕室２内の破砕機構３の点検が、このカバーｂの開放回動により破砕機構３を露出させた状態で行えるようにするが、このとき、機枠１から別体の部材として切り離すのは、カバーｂとする機枠１の天板１０の破砕室２の天井となる部位１０ａだけでなく、機枠１の左右の側壁１２・１２の一部まで行う。
【００２０】
この機枠１から切り離す機枠１の側壁の一部は、破砕室２の左右の側壁を形成する部位で、その破砕室２内に装架してある破砕機構３の、破砕刃３３をフリーハンマー状に支架する取付軸３２の回動軌跡ｗと側面視においてラップする部分を含むようにする。
【００２１】
即ち、図４において、破砕機構３の破砕刃３３の取付軸３２が、主軸３０の回転により回動軌跡ｗをもって回動したときに、この回動軌跡ｗと対向する部位を含んで、その部分から外側のカバーｂとする機枠１の天板１０に至るまでの部分とし、この部分を機枠１から切り離して、カバーｂとする天板１０ａの側に連結しておく。
【００２２】
これは、カバーｂをヒンジ１１中心に開放回動させたときに、それと一緒に、機枠１の破砕室２の側壁となる部位の一部が開放回動することで、破砕室２内の破砕機構３の、破砕刃３３を軸支している取付軸３２が、機枠１の上面側にだけでなく、側方にも露出する状態となって、その取付軸３２を軸方向に動かして破砕刃３３を取り外していく操作が、その取付軸３２を破砕室２内の空間に限られず、機枠１の側方にまで制約なしに抜き出すようにするためである。
【００２３】
従って、このカバーｂと一緒に開放回動するよう機枠１の側壁１２から切り離しておく破砕室２の側壁となる部位の一部は、取付軸３２を機枠１の側方に対して露出させるようにする部位を含む部分ｃとするが、実際の取付軸３２の脱着作業は、破砕機構３を主軸３０中心に手で自由に回転させ得る状態において、破砕機構３を手で回し、複数の取付軸３２を順次、同じ場所に位置させて行えることから、停止状態にある破砕機構３に設けられている複数の取付軸３２…のうちの一本の取付軸３２が露出してくるようになればよく、例えば、図６および図７にあるように、主軸３０の軸受機構部ｄよりも上方で、破砕機構３の取付軸３２の回動軌跡ｗよりも下方に位置する部位に略水平なラインｅを設定し、このラインｅから上方でカバーｂの下方に位置する部位ｃを、機枠１から切り離す側壁としてよいが、さらに、同図において、破線ｆに示しているように、前述の略水平なラインｅの途中から、取付軸３２の回動軌跡ｗに沿い下方に向け切離部を延長して、停止させてある破砕機構３の取付軸３２が複数本露出してくるようにしてもよい。
【００２４】
このとき、カバーｂと一緒に回動するよう機枠１から切り離す側壁には、カバーｂの後端側の後方延長部分と、機枠１の左右の側壁１２・１２に渡架するつなぎ部材１５の後面側の部分との間に位置する部位ｇまで含めるようにし、これにより、カバーｂを開放回動させたときの破砕室２の開放が、破砕機構３のメンテナンスの際における作業位置となる機枠１の後面側の後方位置の自由性を良好にするようにすることは有効である。
【００２５】
また、このように構成するカバーｂの開閉手段において、ヒンジ１１中心に下方に回動させて閉鎖状態としたカバーｂを閉鎖位置に保定させるための手段としては、例えば、図８に示す例の如く、機枠１の左右の側壁１２・１２の前端側の上部をつなぐつなぎ部材１５に、支軸２１中心に開閉回動自在に設ける破砕室２の底壁となる篩網２０の回動端部に設けられるロックレバー７の回動軸部７０に対して嵌合する切欠溝１５０を設けておいて、篩網２０の回動端部をつなぎ部材１５の下面に突き合わせ、この状態で、ロックレバー７の回動軸部７０の頂部にＬ字形に屈曲させて設けたレバー７１を、図９にあるよう回動させて篩網２０を閉鎖位置にロックするときに、カバーｂの内面側に装設してある破砕片のガイド壁１６の下端に、図６において鎖線に示しているように、つなぎ部材１５の上面に当接していく屈曲板１６０を設けておいて、これに、前述の切欠溝１５０と対応する部位にそれと重合する切欠溝を設けておくことで、カバーｂの閉鎖位置へのロックが、篩網２０の閉鎖位置へのロックと併せて行えるようにするなど適宜に行ってよい。
【００２６】
また、図７にある例の如く、機枠１から切り離した側壁１２の部分ｃを利用し、この部分ｃと機枠１側に残した側壁１２との間に、係合フック８０に対し係合環８１を嵌合してスナップアクション式のレバー８２の回動により係合環８１を係合状態とする係止機構８を装設して保定するようにしてもよい。
【００２７】
【発明の効果】
以上説明したように、本発明手段を実施せる農用チョッパーは、機枠１内の破砕室２に装架せる破砕刃３３がフリーハンマー状の破砕機構３の点検のために、カバーｂを開放すると、破砕室２内の破砕機構３の、破砕刃３３の取付軸３２の回動軌跡ｗの一部が、機枠１の側方に対し露出してきて、取付軸３２を軸方向に動かし、機枠１の側方に抜き出し、また、機枠１の側方から挿し込む操作が自由に行えるようになるから、破砕機構３の破砕刃３３の脱着作業を著しく容易にする。
【図面の簡単な説明】
【図１】従前の農用チョッパーの縦断側面図である。
【図２】同上の横断平面図である。
【図３】同上の要部の縦断正面図である。
【図４】本発明手段を実施せる農用チョッパーの側面図である。
【図５】同上農用チョッパーの縦断側面図である。
【図６】同上農用チョッパーのカバーを開放回動した状態の側面図である。
【図７】同上農用チョッパーの要部の拡大した側面図である。
【図８】同上農用チョッパーの別の実施例の要部の横断平面図である。
【図９】同上要部の縦断後面図である。
【符号の説明】
Ａ…農用チョッパー、Ｅ…エンジン、Ｍ…木材、ａ…ベース、ｂ…カバー、ｃ…カバーに至る部位、ｄ…軸受機構部、ｅ…ライン、ｆ…破線、ｇ…延出部分、ｗ…回動軌跡、ｙ…排出口、１…機枠、１０…天板、１０ａ…天井部となる部位、１１…ヒンジ、１２…側壁、１２ａ…フランジ、１３…ボルト、１４…蝶ネジ、１５…つなぎ部材、１５０…切欠溝、１６…ガイド壁、１６０…屈曲板、２…破砕室、２０…篩網、２１…支軸、３…破砕機構、３０…主軸、３１…ホイル、３２…取付軸、３２ａ…カラー、３３…破砕刃、３４・３５…伝導輪、４…送込室、４０…床板、５…送込機構、５０…回転軸、５１…ガイド穴、５２…回動アーム、５３…バネ、５４…送込板、５５・５６…伝導輪、５７…伝導機構、６…供給樋、６０…床板、７…ロックレバー、７０…回動軸部、７１…レバー、８…係止機構、８０…係合フック、８１…係合環、８２…レバー。
【図１】
2004267847.tif 000003
【図２】
2004267847.tif 000004
【図３】
2004267847.tif 000005
【図４】
2004267847.tif 000006
【図５】
2004267847.tif 000007
【図６】
2004267847.tif 000008
【図７】
2004267847.tif 000009
【図８】
2004267847.tif 000010
【図９】
2004267847.tif 000011